(57)【要約】 【課題】複数の表皮片から袋状に縫い合わせられる袋状表皮にウレタンを一体発泡させ手製品に成形する場合、その製品においてその袋状表皮のその縫い合わせ部分の蛇行を未然に防止でき、さらには、その袋状表皮の曲り部分においてもその縫い合わせ部分の蛇行を未然に防止でき、そして、その袋状表皮のその曲り部分に発生する折れ皺も合わせて解消できてその製品に外観仕上りを確保可能にする。 【解決手段】裏面表皮片１５が表面表皮片１４の表皮材よりも柔軟で伸びのある表皮材を用い、そして、その表面表皮片１４および裏面表皮片１５が曲り部分１６を有する形状で袋状に縫い合わせられる袋状表皮１３にウレタンを一体発泡させて成形される。 【選択図】図１
2006096125.tif 000002
【特許請求の範囲】
【請求項１】
裏面表皮片が表面表皮片の表皮材よりも柔軟で伸びのある表皮材を用い、そして、その表面表皮片および裏面表皮片が曲り部分を有する形状で袋状に縫い合わせられる袋状表皮にウレタンを一体発泡させて成形されるところの一体発泡品。 
【請求項２】
裏面表皮片が表面表皮片の表皮材よりも柔軟で伸びのある表皮材を用い、そして、その表面表皮片および裏面表皮片が曲り部分を有する形状で袋状に縫い合わせられる袋状表皮にヘッドレスト・フレームを組み合わせ、そして、ウレタンを一体発泡させて成形されるところのシートに用いるヘッドレスト。 
【請求項３】
裏面表皮片が表面表皮片の表皮材よりも柔軟で伸びのある表皮材を用い、そして、その表面表皮片および裏面表皮片が曲り部分を有する形状で袋状に縫い合わせられる袋状表皮にシート・クッション・フレームを組み合わせ、そして、ウレタンを一体発泡させて成形されるところのシートに用いるシート・クッション。 
【請求項４】
裏面表皮片が表面表皮片の表皮材よりも柔軟で伸びのある表皮材を用い、そして、その表面表皮片および裏面表皮片が曲り部分を有する形状で袋状に縫い合わせられる袋状表皮にシート・バック・フレームを組み合わせ、そして、ウレタンを一体発泡させて成形されるところのシートに用いるシート・バック。 
【発明の詳細な説明】
【技術分野】
【０００１】
この発明は、曲り部分を有する袋状表皮にウレタンを一体発泡させて成形されるところの一体発泡品、シートに用いるヘッドレスト、シートに用いるシート・クッション、およびシートに用いるシート・バックなどに関する。 
【背景技術】
【０００２】
自動車シートに用いるヘッドレストは、表面表皮片および裏面表皮片が剛性の高い表皮材を用い、そして、曲り部分を有する形状で袋状に縫い合わせられるところの袋状表皮にヘッドレスト・フレームを組み合わせてその袋状表皮内にウレタンを一体発泡させて成形されるので、その縫い合わせ部分が蛇行する不具合があった。特に、そのヘッドレストに曲がり分があると、その袋状表皮に無理がかかってその曲り部分でその縫い合わせ部分に蛇行が発生し易い。 
【特許文献１】特開２０００−１６６７０８公報
【発明の開示】
【発明が解決しようとする課題】
【０００３】
この発明の課題は、複数の表皮片から袋状に縫い合わせられる袋状表皮にウレタンを一体発泡させることによってその袋状表皮のその縫い合わせ部分の蛇行を未然に防止でき、さらには、その袋状表皮の曲り部分においてもその縫い合わせ部分の蛇行を未然に防止でき、そして、その袋状表皮のその曲り部分に発生する折れ皺も合わせて解消できて外観仕上りを確保可能にするところの一体発泡品、シートに用いるヘッドレスト、シート・クッション、およびシート・バックなどの提供にある。 
【課題を解決するための手段】
【０００４】
この発明の一体発泡品は、裏面表皮片が表面表皮片の表皮材よりも柔軟で伸びのある表皮材を用い、そして、その表面表皮片および裏面表皮片が曲り部分を有する形状で袋状に縫い合わせられる袋状表皮にウレタンを一体発泡させて成形される。 
【０００５】
また、この発明のシートに用いるヘッドレストは、裏面表皮片が表面表皮片の表皮材よりも柔軟で伸びのある表皮材を用い、そして、その表面表皮片および裏面表皮片が曲り部分を有する形状で袋状に縫い合わせられる袋状表皮にヘッドレスト・フレームを組み合わせ、そして、ウレタンを一体発泡させて成形される 
【０００６】
さらに、この発明のシートに用いるシート・クッションは、裏面表皮片が表面表皮片の表皮材よりも柔軟で伸びのある表皮材を用い、そして、その表面表皮片および裏面表皮片が曲り部分を有する形状で袋状に縫い合わせられる袋状表皮にシート・クッション・フレームを組み合わせ、そして、ウレタンを一体発泡させて成形される 
【０００７】
またさらに、この発明のシートに用いるシート・バックは、裏面表皮片が表面表皮片の表皮材よりも柔軟で伸びのある表皮材を用い、そして、その表面表皮片および裏面表皮片が曲り部分を有する形状で袋状に縫い合わせられる袋状表皮にシート・バック・フレームを組み合わせ、そして、ウレタンを一体発泡させて成形される 
【発明の効果】
【０００８】
この発明では、その袋状表皮がその表面表皮片に剛性の高い表皮材を、その裏面表皮片にその表面表皮片のその表皮材よりも柔軟で伸びのある表皮材をそれぞれ用い、そして、その曲り部分を有する形状でその表面表皮片および裏面表皮片から袋状に縫い合わせられるので、そのウレタンが成形型内でその袋状表皮に一体発泡される際、その裏面表皮片が伸び、その表面表皮片はその裏面表皮片による拘束が弱まってその成形型になじみ、その袋状表皮のその縫い合わせ部分の蛇行は防止され、そして、その袋状表皮のその曲り部分においてもその縫い合わせ部分の蛇行が解消され、その袋状表皮のその曲り部分に発生する折れ皺 
も合わせて解消されて外観仕上りが確保される。 
【発明を実施するための最良の形態】
【０００９】
その袋状表皮がその表面表皮片に剛性の高いその表皮材を、その裏面表皮片にその表面表皮片のその表皮材よりも柔軟で伸びのあるその表皮材をそれぞれ用いる。そのシートに用いるヘッドレストでは、その表面表皮片はそのシートのシート・クッションやシート・バックに合わせられて合成皮革を用い、一方、その裏面表皮片は視覚され難い部分でもあってニット系生地を用い、そして、その袋状表皮が逆Ｌ字状でその表面表皮片および裏面表皮片から袋状に縫い合わせられる。 
【実施例１】
【００１０】
以下、特定されて図示された具体例に基づいて、この発明のシートに用いるヘッドレストを説明するに、図１および図２は、自動車のリア・シートに活用されるところのこの発明のシートに用いるヘッドレストの具体例１０を示し、そして、このシートに用いるヘッドレスト１０は、裏面表皮片１５が表面表皮片１４の表皮材よりも柔軟で伸びのあるその表皮材を用い、そして、その表面表皮片１４および裏面表皮片１５が曲り部分１６を有する形状で袋状に縫い合わせられる袋状表皮１３にヘッドレスト・フレーム１１を組み込んで成形型（図示せず）内に配置され、ウレタンがその成形型内でその袋状表皮１３に一体発泡され、ヘッドレスト・パッド１２に成形されると、全体的に逆Ｌ字状に形成され、そして、その成形型から取り出され、それから、そのヘッドレスト・フレーム１１にステイ１８、１８を取り付けて完成される。 
【００１１】
その表面表皮片１４は、そのリア・シートのシート・クッションおよびシート・バックの表皮に使われる表皮材と同じで剛性の高い表皮材であるところの合成皮革を用い、一方、その裏面表皮片１５は、視覚され難い部分であることからその表面表皮片１４の表皮材よりも柔軟で伸びのある表皮材であるところのニット系生地を用いる。 
【００１２】
そのステイ１８、１８は、所定の長さのスチール・ロッドからＵ字状に折り曲げられるところの一体構造に成形されてそのヘッドレスト・フレーム１１に取り付け易くされている。 
【００１３】
したがって、そのヘッドレスト１０では、その袋状表皮１３がその表面表皮片１４に剛性の高い合成皮革を、その裏面表皮片１５がその表面表皮片１４の合成皮革よりも柔軟で伸びのあるニット系生地をそれぞれ用い、そして、その曲り部分１６を有する逆Ｕ字形状でその表面表皮片１４および裏面表皮片１５から袋状に縫い合わせられるので、そのウレタンがその成形型内でその袋状表皮１３に一体発泡されてそのヘッドレスト・パッド１２に形成される際、その裏面表皮片１５が伸び、その表面表皮片１４はその裏面表皮片１５による拘束が弱まってその成形型になじみ、その袋状表皮１３のその縫い合わせ部分１７の蛇行は防止され、そして、その袋状表皮１３のその曲り部分１６においてもその縫い合わせ部分１７の蛇行が解消され、その袋状表皮１３のその曲り部分１６に発生する折れ皺も合わせて解消されて外観仕上りが確保される。 
【実施例２】
【００１４】
ソファーのヘッド・クッションとして活用される場合、この発明の 
一体発泡品（図示せず）は、裏面表皮片が表面表皮片の表皮材よりも柔軟で伸びのある表皮材を用い、そして、その表面表皮片および裏面表皮片が曲り部分を有する形状で袋状に縫い合わせられる袋状表皮にウレタンを一体発泡させて製品に製造される。 
【００１５】
そのウレタンが成形型内にセットされたその袋状表皮に一体発泡されてその一体発泡品に成形される際、その裏面表皮片が伸び、その表面表皮片はその裏面表皮片による拘束が弱まってその成形型になじみ、その袋状表皮のその縫い合わせ部分の蛇行は防止され、そして、その袋状表皮のその曲り部分においてもその縫い合わせ部分の蛇行が解消され、その袋状表皮のその曲り部分に発生する折れ皺も合わせて解消されて外観仕上りが確保される。 
【実施例３】
【００１６】
自動車シートに活用される場合、この発明のシートに用いるシート・クッション（図示せず）は、裏面表皮片が表面表皮片の表皮材よりも柔軟で伸びのある表皮材を用い、そして、その表面表皮片および裏面表皮片が曲り部分を有する形状で袋状に縫い合わせられる袋状表皮にシート・クッション・フレームを組み込み、そして、ウレタンを一体発泡させて製品として製造される。 
【００１７】
その袋状表皮がそのシート・クッション・フレームを組み込んで成形型内にセットされ、そして、ウレタンがその袋状表皮に一体発泡される際、その裏面表皮片が伸び、その表面表皮片はその裏面表皮片による拘束が弱まってその成形型になじみ、その袋状表皮のその縫い合わせ部分の蛇行は防止され、そして、その袋状表皮のその曲り部分においてもその縫い合わせ部分の蛇行が解消されて外観仕上りが確保される。 
【実施例４】
【００１８】
自動車シートに活用される場合、この発明のシートに用いるシート・バック（図示せず）は、裏面表皮片が表面表皮片の表皮材よりも柔軟で伸びのある表皮材を用い、そして、その表面表皮片および裏面表皮片が曲り部分を有する形状で袋状に縫い合わせられる袋状表皮にシート・バック・フレームを組み込み、そして、ウレタンを一体発泡させて製品として製造される。 
【００１９】
その袋状表皮がそのシート・バック・フレームを組み込んで成形型内にセットされ、そして、ウレタンがその袋状表皮に一体発泡される際、その裏面表皮片が伸び、その表面表皮片はその裏面表皮片による拘束が弱まってその成形型になじみ、その袋状表皮のその縫い合わせ部分の蛇行は防止され、そして、その袋状表皮のその曲り部分においてもその縫い合わせ部分の蛇行が解消されて外観仕上りが確保される。 
【００２０】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。 
【産業上の利用可能性】
【００２１】
上述から理解されるように、この発明の一体発泡品は、裏面表皮片が表面表皮片の表皮材よりも柔軟で伸びのある表皮材を用い、そして、その表面表皮片および裏面表皮片が曲り部分を有する形状で袋状に縫い合わせられる袋状表皮にウレタンを一体発泡させて成形されるので、この発明の一体発泡品では、そのウレタンが成形型内でその袋状表皮に一体発泡される際、その裏面表皮片が伸び、その表面表皮片はその裏面表皮片による拘束が弱まってその成形型になじみ、その袋状表皮のその縫い合わせ部分の蛇行は防止され、そして、その袋状表皮のその曲り部分においてもその縫い合わせ部分の蛇行が解消され、その袋状表皮のその曲り部分に発生する折れ皺 
も合わせて解消されて外観仕上りが確保され、その結果、各種のシートやソファーにとって、特に、自動車シートにとって非常に有用で実用的である。 
【図面の簡単な説明】
【００２２】
【図１】自動車のリア・シートに活用されるところのこの発明のシートに用いるヘッドレストの具体例を示した斜視図である。
【図２】図１の２−２線に沿って示した断面図である。
【符号の説明】
【００２３】
１１    ヘッドレスト・フレーム 
１２    ヘッドレスト・パッド 
１３    袋状表皮 
１４    表面表皮片 
１５    裏面表皮片 
１６    曲り部分 
１７    縫い合わせ部分 
１８    ステイ 
【図１】
2006096125.tif 000003
【図２】
2006096125.tif 000004